(57)【要約】    【課題】  オイルライタの、燃料槽と有底外ケースとの間の隙間を通してのオイル気化を防止しかつ該隙間での嵌合の緩みを防止。    【解決手段】  上端部に発火石１およびヤスリ輪２を装備し、該ヤスリ輪の回転により発火石が発生する火花が当たる位置で槽上端の上方に突出した燃料吸い上げ芯３を装備し、下端部に液体燃料を注入するための下開口４があり、内部に液体燃料が浸透する吸液部材５ａ，５ｂが充填された燃料槽であって、上下方向と直交する方向に外壁面を周回した、シール材を受け入れる溝６がある燃料槽７；該溝に嵌まり込んだループ状の気密シール材８；および、上端が開き下端に底壁９がある外ケース１０；を備え、シール材８が溝６に嵌まり込んだ燃料槽７をその下開口４から、外ケース１０の上端開口に挿入して外ケースの内壁面でシール材８を圧縮した；オイルライタ。  【選択図】  図２
2006349286.tif 000002
【特許請求の範囲】
【請求項１】
上端部に発火石およびヤスリ輪を装備し、該ヤスリ輪の回転により発火石が発生する火花が当たる位置で槽上端の上方に突出した燃料吸い上げ芯を装備し、下端部に液体燃料を注入するための開口があり、内部に液体燃料が浸透する吸液部材が充填された燃料槽であって、上下方向と直交する方向に外壁面を周回した、シール材を受け入れる溝がある燃料槽；
該燃料槽の前記溝に嵌まり込んだループ状の気密シール材；および、
上端が開き下端に底壁がある外ケース；を備え、
前記気密シール材が前記溝に嵌まり込んだ前記燃料槽をその下端から、前記外ケースの上端開口に挿入して該外ケースの内壁面で前記気密シール材を圧縮した；ライタ。
【請求項２】
前記ライタは、前記燃料槽の上端部に装着され前記ヤスリ輪を支持する中枠；および、該中枠に回動可能に支持されて、前記外ケースの上端の開口を開閉し、閉のときは前記燃料吸い上げ芯およびヤスリ輪周りの空間を覆う開閉蓋；を更に備える、請求項１に記載のライタ。
【発明の詳細な説明】
【技術分野】
【０００１】
本発明は、液体燃料を含滲する繊維材を入れて、下端開口を液体燃料が含滲透過するフェルト状の繊維プレートで閉じた燃料槽を、その下端から有底外ケースに挿入して下端開口を該外ケースで被覆し、燃料槽の上端から突出する燃焼芯（灯心）に、ヤスリ輪による発火石（フリント）の摺擦にて発生する火花で火を灯すライタ、に関する。この種のライタはオイルライタと呼ばれている。
【背景技術】
【０００２】
上述のオイルライタでは、燃料がなくなると、燃料槽を外ケースから抜き出して、燃料槽の下開口に挿入されているフェルト状の繊維プレートに、あるいはその一部をめくって内部にある繊維材（中綿）に、オイルを補給し、めくったフェルト状の繊維プレートは燃料槽の下開口に挿入してから、燃料槽を、その下端から有底外ケースに再挿入する。しかし、外ケースと燃料槽との間に隙間があることで、該隙間を通してのオイル気化が早く燃料が自然に無くなり日持ちしない。嵌合が緩くなった状態でオイルを補充すると、外ケースから燃料槽が更に滑りやすくなって、使用時に燃料槽がせり上がったりすることがある。
【０００３】
【特許文献１】特開平１０−３１８５３９号公報
【特許文献２】特開平１１−２９４７６４号公報
【特許文献３】特開２０００−  ９３１８号公報。
【０００４】
特許文献１には、下端が底壁で閉じた燃料槽２に、液体燃料を含滲する繊維材３を入れて上端開口を上壁ブロツク４で閉じ、上壁ブロツク４にキャップ１６を嵌め合わせて、上壁ブロツク４より上方に突出する燃焼芯６および上壁ブロツク４に装備したヤスリ輪１３の周りの空間を、該キャップ１６で密閉する液体燃料ライタが記載されている。特許文献２および３には、上端を上蓋ブロツク４で閉じた燃料槽２に、液体燃料を含滲する繊維材３を入れて下端開口を底蓋２２で閉じ、上壁ブロツク４に閉塞キャップ１６を軸回動可能に結合して、上壁ブロツク４より上方に突出する燃焼芯６周りを閉塞キャップ１６の内面にある内キャップで密閉する液体燃料ライタ、が記載されている。特許文献１〜３に記載のオイルライタは、外ケースは用いないで燃料槽の下端を密閉しているので、上述の問題はないが、燃料の補充ができない。
【発明の開示】
【発明が解決しようとする課題】
【０００５】
本発明は、液体燃料を含滲する繊維材を入れて下端が開いた燃料槽を下端から有底外ケースに挿入するオイルライタの、燃料槽と有底外ケースとの間の隙間を通してのオイル気化を防止しかつ燃料槽と有底外ケースとの間の嵌合の緩みを防止することを目的とする。
【課題を解決するための手段】
【０００６】
（１）上端部に発火石(1)およびヤスリ輪(2)を装備し、該ヤスリ輪の回転により発火石が発生する火花が当たる位置で槽上端の上方に突出した燃料吸い上げ芯(3)を装備し、下端部に液体燃料を注入するための開口(4)があり、内部に液体燃料が浸透する吸液部材(5)が充填された燃料槽であって、上下方向と直交する方向に外壁面を周回した、シール材を受け入れる溝(6)がある燃料槽(7)；
該燃料槽の前記溝に嵌まり込んだループ状の気密シール材(8)；および、
上端が開き下端に底壁(9)がある外ケース(10)；を備え、
前記気密シール材(8)が前記溝(6)に嵌まり込んだ前記燃料槽(7)をその下端から、前記外ケース(10)の上端開口に挿入して該外ケースの内壁面で前記気密シール材(8)を圧縮した；ライタ。
【０００７】
なお、理解を容易にするためにカッコ内には、図面に示し後述する実施例の対応部材又は対応要素の符号を、例示として参考までに付記した。以下も同様である。
【発明の効果】
【０００８】
これによれば、外ケース(10)の内壁面で燃料槽(7)に向けて圧縮された気密シール材(8)が、燃料槽(7)と有底外ケース(10)との間の隙間を気密に閉じるので、該隙間を通して液体燃料が気化して漏出することがない。外ケース(10)の内壁面で燃料槽(7)に向けて圧縮された気密シール材(8)の、原形に復帰しようとする弾性によって、燃料槽(7)と有底外ケース(10)との間の嵌合の緩みが埋められるので、燃料槽(7)は外ケース(10)に過度に滑りやすくはならない。気密シール材(8)は燃料槽(7)の溝(6)に嵌まり込んでいるので、外ケース(10)に対する燃料槽(7)の嵌合が比較的にきつくても、気密シール材(8)は溝位置に留まり、位置ずれや脱落を生じない。
【発明を実施するための最良の形態】
【０００９】
（２）前記ライタは、前記燃料槽(7)の上端部に装着され前記ヤスリ輪(2)を支持する中枠(11)；および、該中枠に回動可能に支持されて、前記外ケース(10)の上端の開口を開閉し、閉のときは前記燃料吸い上げ芯(3)およびヤスリ輪(2)周りの空間を覆う開閉蓋(12)；を更に備える、上記（１）に記載のライタ。これによれば、開閉蓋(12)を掴んで外ケース(10)の上方に引き上げることにより、燃料槽(7)が外ケース(10)から抜ける。すなわち開閉蓋(12)を掴んで燃料槽(7)を外ケースに対して挿脱することができる。燃料槽(7)の挿脱が簡単にできる。
【００１０】
本発明の他の目的および特徴は、図面を参照した以下の実施例の説明より明らかになろう。
【実施例１】
【００１１】
図１に、本発明の１実施例のオイルライタの外観を示す。図１の（ａ）は正面図、（ｂ）は左側面図、（ｃ）は右側面図、また、（ｄ）は、上蓋１２を開いた使用状態を示す正面図である。側面壁と一体連続の底壁９があり上端が開いた矩形カップ状の外ケース１０の上開口４に、開閉蓋１２が軸中心に回動自在に連結された燃料槽７が、その下端から挿入されている。燃料槽７の上端部には中枠１１が装着されており、この中枠１１を貫通して燃料吸い上げ芯３が上方に突出している。中枠１１でヤスリ輪２が回転可能に支持されている。
【００１２】
図１の（ｄ）に示すように開閉蓋１２を開いて外ケース１０の上端開口の上方を露出させてヤスリ輪２を廻すと、中枠１１の穴に挿入されてヤスリ輪２に押し付けられているフリント（発火石）１（図３）から火花がでて、燃料吸い上げ芯３の上端に沁みている液体燃料（の蒸気）が着火し芯３の上端を炎芯とする炎が現れる。燃料槽７には、上下方向と直交する方向に外壁面を周回した、シール材を受け入れる溝があり、そこに矩形ループ状のＯリング８がはめ込まれており、このＯリング８が、外ケース７の内壁面で圧縮されて、燃料槽７の外壁面と外ケース７の内壁面との間を気密封止（シーリング）している。しかし、開閉蓋１２を掴んで外ケース９の上方に引き上げることにより、燃料槽７が外ケース１０の上開口から抜け出る。
【００１３】
図２に、外ケース１０と、それから抜き出した燃料槽７の外観を示す。図２の（ａ）は、外ケース１０から抜き出した燃料槽７の正面図、（ｂ）は左側面図、（ｃ）は開閉蓋１２を開いた状態の正面図であり、図２の（ｄ）は、外ケース１０のみの正面図、（ｅ）は左側面図、（ｆ）は右側面図である。
【００１４】
また、図３には、図１の（ａ）に示すように外ケース１０の上端開口１３を開閉蓋１２で閉じた状態のライタの断面を、拡大して示す。中枠１１の下部に燃料槽７の上部が挿入されて、両者を貫通するピン１４および１５で、両者が一体的に固着されている。中枠１１にはピン１６で、それを中心に回動（開閉）自在に開閉蓋１２が装着されている。
【００１５】
燃料槽７には、その上壁面を、燃料室から縦方向に貫通する、燃料吸い上げ芯３があり、この芯３の上部は中枠１１の挿通穴を貫通して上方に突出している。燃料槽７には、燃料室内を上方から下方に延びるシリンダがあり、これが燃料槽７の下開口４まで延びている。このシリンダ２３には下方からフリント（発火石）１が挿入され、圧縮コイルスプリング２０で押されてヤスリ輪２のヤスリ周面に当接している。圧縮コイルスプリング２０の下端は、シリンダ２３の下端の雌ねじ穴にねじ込まれたばね座（雄ねじ）２１で支えられている。
【００１６】
燃料槽７の燃料室には、液体燃料が浸透する吸液部材である中綿（吸液繊維）５ａが詰め込まれ、この詰め込みにより、芯３が上方向に押されて、芯３を胴締めしたＯリング２２が燃料槽の下向き内表面に加圧当接して、燃料室の出口をシールしている。液体燃料が浸透するフェルト状の吸液ブロツク（繊維ブロック）５ｂで、中綿５ａを詰め込んだ燃料室の下端開口４を閉じている。
【００１７】
燃料槽７の外壁面には、上下方向と直交する方向（水平方向という）に燃料槽１０を周回する、シール材受け入れ溝６（図３）があり、該溝６に、矩形ループ状の、弾力性があるＯリング８が嵌め込まれている。該Ｏリング８の直径（太さ）は該溝６の深さより大きく、Ｏリング８を付けた燃料槽１０を外ケース１０に挿入すると、燃料槽７の内壁面によってＯリング８が圧縮される。この、圧縮されたＯリングによって、燃料槽７と外ケース１０との間の隙間が気密に閉じられる。
【００１８】
したがって図１および図３に示すように燃料槽７を外ケース１０に挿入したオイルライタは、燃料槽７の下端に燃料補給用の開口４があっても、燃料槽７と外ケース１０との間の隙間を通して液体燃料が気化して、外ケース１０の上開口１３から漏出することがない。Ｏリング８の、原形に復帰しようとする弾性によって、燃料槽７とケース１０との間の嵌合の緩みが埋められるので、燃料槽７は外ケース１０に過度に滑りやすくはならない。Ｏリング８は燃料槽７の溝６に嵌まり込んでいるので、外ケース１０に対する燃料槽７の嵌合が比較的にきつくても、Ｏリング８は溝位置に留まり、位置ずれや脱落を生じない。
【００１９】
開閉蓋１２には、ピン１７でトグルアーム１８の先端が回転自在に連結されている。トグルアーム１８の下端は、圧縮コイルスプリング１９（図３）の反発力で上方に押されている。開閉蓋１２が閉じているときには、トグルアーム１８の先端が結合したピン１７が、開閉蓋１２の回動の中心となるピン１６の下方かつ左側（図３）に位置するので、スプリング１９の反発力が開閉蓋１２に、ピン１６を中心とする時計方向（閉方向）の回転モーメントとして作用し、これにより開閉蓋１２の下端面が外ケース１０の上端面に当接している。すなわち開閉蓋１２が外ケース１０の上開口１３を閉じている（図１の（ａ）および図３）。この状態でユーザが開閉蓋１２の右側面（ヤスリ輪２側）に指を当てて上方に跳ね上げると、開閉蓋１２がピン１６を中心に反時計方向に回動し、その過程で、ピン１７がピン１６の左側にある間はスプリング１９の反発力が蓋開に抵抗する力となるが、開閉蓋１２の開方向（反時計方向）の回動によりピン１７がピン１６の右側に移動すると、スプリング１９の反発力が開閉蓋１２に、ピン１６を中心とする反時計方向（開方向）の回転モーメントとして作用し、これにより開閉蓋１２が、図１の（ｄ）（外ケースを外しているときには図２の（ｃ））に示すように、開姿勢となる。
【図面の簡単な説明】
【００２０】
【図１】本発明の１実施例の外観を示す図面であり、（ａ）は正面図、（ｂ）は左側面図、（ｃ）は右側面図、（ｄ）は開閉蓋１２を開いた使用状態を示す正面図である。
【図２】図１に示す外ケース１０から燃料槽７を引き抜いた状態を示す図面であり、（ａ）は燃料槽７の正面図、（ｂ）は左側面図、（ｃ）は開閉蓋１２を開いた状態を示す正面図である。（ｄ）は外ケース１０の正面図、（ｅ）は左側面図、（ｆ）は右側面図である。
【図３】図１の（ａ）に示すオイルライタの拡大断面図である。
【符号の説明】
【００２１】
１：発火石          ２：ヤスリ輪
３：燃料吸い上げ芯  ４：下開口
５ａ：中綿        ５ｂ：吸液ブロック
６：溝
７：燃料槽          ８：Ｏリング
９：底壁          １０：外ケース
１１：中枠        １２：開閉蓋
１３：上開口      １４〜１７：ピン
１８：トグルアーム
１９，２０：コイルスプリング
２１：ばね座      ２２：Ｏリング
２３：シリンダ
【図１】
2006349286.tif 000003
【図２】
2006349286.tif 000004
【図３】
2006349286.tif 000005
【手続補正書】
【提出日】平成18年8月11日(2006.8.11)
【手続補正１】
【補正対象書類名】特許請求の範囲
【補正対象項目名】請求項１
【補正方法】変更
【補正の内容】
【請求項１】
上端が開き下端に底壁がある外ケース；
上端部に発火石およびヤスリ輪を装備し、該ヤスリ輪の回転により発火石が発生する火花が当たる位置で槽上端の上方に突出した燃料吸い上げ芯を装備し、下端部に液体燃料を注入するための開口があり、内部に液体燃料が浸透する吸液部材が充填された、前記外ケースに該開口から挿入される燃料槽であって、該外ケースに挿入されると該外ケースの上端と底壁との間となる位置において上下方向と直交する方向に外壁面を周回した、シール材を受け入れる溝がある燃料槽；および、
該燃料槽の前記溝に嵌まり込んだループ状の気密シール材； を備え、
前記気密シール材が前記溝に嵌まり込んだ前記燃料槽をその下端から、前記外ケースの上端開口に挿入して該外ケースの内壁面で前記気密シール材を圧縮し前記燃料槽と前記外ケースとの間の隙間を気密に閉じた；ライタ。
【手続補正２】
【補正対象書類名】明細書
【補正対象項目名】０００６
【補正方法】変更
【補正の内容】
【０００６】
（１）上端が開き下端に底壁(9)がある外ケース(10)；
上端部に発火石(1)およびヤスリ輪(2)を装備し、該ヤスリ輪の回転により発火石が発生する火花が当たる位置で槽上端の上方に突出した燃料吸い上げ芯(3)を装備し、下端部に液体燃料を注入するための開口(4)があり、内部に液体燃料が浸透する吸液部材(5)が充填された、前記外ケースに該開口から挿入される燃料槽であって、該外ケースに挿入されると該外ケースの上端と底壁との間となる位置において上下方向と直交する方向に外壁面を周回した、シール材を受け入れる溝(6)がある燃料槽(7)；および、
該燃料槽の前記溝に嵌まり込んだループ状の気密シール材(8)； 
を備え、
前記気密シール材(8)が前記溝(6)に嵌まり込んだ前記燃料槽(7)をその下端から、前記外ケース(10)の上端開口に挿入して該外ケースの内壁面で前記気密シール材(8)を圧縮し前記燃料槽(7)と前記外ケース(10)との間の隙間を気密に閉じた；ライタ。